(57)【要約】【課題】トラック等の予測できない不規則且つ大きな揺れが発生しても、衣類等を吊下げたハンガーの脱落をより確実に防止でき、構造も比較的簡単で製作コストを抑えることができ、作業性も良く脱着作業を迅速に行うことが可能なハンガーバー装置を提供せんとする。【解決手段】横架されたバー本体１０に対して相対回転、又はバー本体１０と一体的に回転可能に構成され、当該バー本体１０に掛けられたハンガーフック９１を先端９１ａ側より枠内に挿通させつつ該フック９１の外方所定の位置Ｐ２に回転移動し、該フック９１の脱落方向への移動を規制する枠状規制部材１３と、前記枠状規制部材１３を前記フック９１の外方所定位置Ｐ２に固定するための位置固定手段１４とより構成した。【選択図】          図２
2004283415.tif 000002
【特許請求の範囲】
【請求項１】
一対の支持部間に水平に横架され、ハンガーを掛止するためのバー本体と、
前記バー本体の外周面上に設けた枠状規制部材であって、横架された当該バー本体に対して相対回転、又はバー本体と一体的に回転可能に構成され、当該バー本体に掛けられたハンガーフックを先端側より枠内に挿通させつつ該フックの外方所定の位置に回転移動し、該フックの脱落方向への移動を規制する枠状規制部材と、
前記枠状規制部材を前記フックの外方所定の位置に固定するための位置固定手段と、
より構成したことを特徴とするハンガーバー装置。
【請求項２】
前記枠状規制部材を前記バー本体の外周面に突出して設けるとともに、前記位置固定手段を、当該バー本体を前記支持部に対し回転不能に係止する係止手段で構成してなり、当該バー本体と一体的に回転する前記枠状規制部材は、前記係止手段により前記フックを挿通した外方所定の位置に固定される請求項１記載のハンガーバー装置。
【請求項３】
前記バー本体の両端に、該バー本体を前記支持部に対して回転可能に枢支するための支持軸を設けるとともに、前記係止手段として、前記支持部側に形成した溝孔に係合する係合軸を、前記バー本体の一端又は両端の支持軸に対し前記溝孔の位置に対応する周方向所定の角度位置に並設し、前記枠状規制部材が前記支持軸を中心にフック外方所定の位置に回転移動したときに、前記係合軸が前記溝孔に係合して固定される請求項２記載のハンガーバー装置。
【請求項４】
前記支持軸の一方を、前記支持部側に形成した支持孔に嵌入される差込みピンを出没可能に内装し、これにより当該バー本体を着脱自在に構成するとともに、当該一方の支持軸に対して前記係合軸を並設し、該係合軸が同じく支持部側に形成した溝孔に嵌入される差込みピンを出没可能に内装してなる請求項３記載のハンガーバー装置。
【請求項５】
前記枠状規制部材を、長手方向に沿って複数に区画された連続枠体より構成してなる請求項１〜４の何れか１項に記載のハンガーバー装置。
【請求項６】
前記連続枠体が、一以上の所定のハンガー数に対応する幅寸法でそれぞれ区画された請求項５記載のハンガーバー装置。
【発明の詳細な説明】
【０００１】
【発明の属する技術分野】
本発明は、例えばトラックや鉄道により移送されるコンテナ、収納ボックス等の内部に装着され、ハンガーに掛けられた衣類等を吊下げ状態で運搬するために用いられるハンガーバー装置に関する。
【０００２】
【従来の技術】
従来、この種のハンガーバー装置では、運送中のハンガーの脱落を防止するものとして、バー本体の長さより僅かに短い長さを有する一対のハンガー抑えを、該バー本体に対して垂下した状態で揺動可能に支持した構造を有し、これらハンガー抑えにより、バー本体に引掛けられたハンガーのフック首部を当該ハンガー抑えの垂下重力で両側から挾持し、同時に輸送時の振動によい、ハンガーのフックがバー本体から外れる方向に動いた時にハンガーのフック首部に連なる肩部に当接させてハンガーの脱落を防止するものが提案されている（例えば、特許文献１参照。）。
【０００３】
また、同じくハンガーの脱落を防止するものとして、バー本体の外周面上に、ハンガーフックが周方向に揺れたときにフック先端又は基端が接触する先端接触部と基端接触部を長手方向に渡って備えた回り止め部を設けるとともに、前記バー本体とほぼ同じ長さを有する棒状部とアーム部とよりなる押えつけ具を前記回り止め部の上部に突設された係合部に回転自由に係合し、該押えつけ具でハンバーのフックを上方から押え付けて脱落を防止するものが提案されている（例えば、特許文献２、３参照。）。
【０００４】
しかし、上記特許文献１のようなハンガー抑えでは、その自重のみによってハンガーの移動を規制するものであるため、トラックがブレーキをかけたり凹凸道路を走行したりすることにより不規則な揺れを発生すること、並びに吊下げる衣類の重みによる慣性力により、ハンガー抑えの自重では確実に脱落を防止することはできない。
一方の特許文献２、３のような押えつけ具では、構造が複雑でコストが嵩むとともに、押えつけ具の固定は、長手方向に沿って複数設けられたひも状の巻きつけ具としてのベルト部材をバー本体の周囲に巻き付けて固定するものであり、脱着作業が煩雑でコスト、耐久性の点でも問題があった。
【０００５】
【特許文献１】
特開平９−２９０７５７号公報
【特許文献２】
実開平７−３９６５９号公報
【特許文献３】
特開平１１−５６５７６号公報
【０００６】
【発明が解決しようとする課題】
そこで、本発明が前述の状況に鑑み、解決しようとするところは、トラック等の予測できない不規則且つ大きな揺れが発生しても、衣類等を吊下げたハンガーの脱落をより確実に防止でき、構造も比較的簡単で製作コストを抑えることができ、作業性も良く脱着作業を迅速に行うことが可能なハンガーバー装置を提供する点にある。
【０００７】
【課題を解決するための手段】
本発明は、前述の課題解決のために、一対の支持部間に水平に横架され、ハンガーを掛止するためのバー本体と、前記バー本体の外周面上に設けた枠状規制部材であって、横架された当該バー本体に対して相対回転、又はバー本体と一体的に回転可能に構成され、当該バー本体に掛けられたハンガーフックを先端側より枠内に挿通させつつ該フックの外方所定の位置に回転移動し、該フックの脱落方向への移動を規制する枠状規制部材と、前記枠状規制部材を前記フックの外方所定の位置に固定するための位置固定手段とよりなるハンガーバー装置を構成した。
【０００８】
ここで、前記枠状規制部材を前記バー本体の外周面に突出して設けるとともに、前記位置固定手段を、当該バー本体を前記支持部に対し回転不能に係止する係止手段で構成してなり、当該バー本体と一体的に回転する前記枠状規制部材は、前記係止手段により前記フックを挿通した外方所定の位置に固定されるものが好ましい。
【０００９】
更に具体的には、前記バー本体の両端に、該バー本体を前記支持部に対して回転可能に枢支するための支持軸を設けるとともに、前記係止手段として、前記支持部側に形成した溝孔に係合する係合軸を、前記バー本体の一端又は両端の支持軸に対し前記溝孔の位置に対応する周方向所定の角度位置に並設し、前記枠状規制部材が前記支持軸を中心にフック外方所定の位置に回転移動したときに、前記係合軸が前記溝孔に係合して固定されるものが好ましい。
【００１０】
より詳しくは、前記支持軸の一方を、前記支持部側に形成した支持孔に嵌入される差込みピンを出没可能に内装し、これにより当該バー本体を着脱自在に構成するとともに、当該一方の支持軸に対して前記係合軸を並設し、該係合軸が同じく支持部側に形成した溝孔に嵌入される差込みピンを出没可能に内装してなるものが好ましい実施例である。
【００１１】
また、前記枠状規制部材を、長手方向に沿って複数に区画された連続枠体より構成してなるものが好ましい。
【００１２】
更に、前記連続枠体が、一以上の所定のハンガー数に対応する幅寸法でそれぞれ区画されたものが好ましい。
【００１３】
【発明の実施の形態】
次に、本発明の実施形態を添付図面に基づき詳細に説明する。
【００１４】
図１は、本発明に係るハンガーバー装置を装着した収納ボックスを示す斜視図であり、図１〜６は第１実施形態、図７〜８は第２実施形態、図９は第３実施形態を示し、図中符号Ａは収納ボックス、１はハンガーバー装置、１０はバー本体、１３は枠状規制部材、１４は位置固定手段をそれぞれ示している。
【００１５】
本発明のハンガーバー装置１は、図２に示すように、一対の支持部８間に水平に横架され、ハンガー９、…を掛止するためのバー本体１０と、前記バー本体１０の外周面１０ａ上に設けた枠状規制部材１３であって、横架された当該バー本体１０に対して相対回転、又はバー本体１０と一体的に回転可能に構成され、当該バー本体１０に掛けられたハンガーフック９１を先端９１ａ側より枠内に挿通させつつ該フック９１の外方所定の位置Ｐ２に回転移動し、該フック９１の脱落方向への移動を規制する枠状規制部材１３と、前記枠状規制部材１３を前記フック９１の外方所定位置Ｐ２に固定するための位置固定手段１４とより構成されている。
尚、以下の実施形態では、本発明に係るハンガーバー装置１をコンテナに収納できる折り畳み可能な収納ボックスＡに装着する例について説明するが、本発明はこのような実施形態に何ら限定されず、例えばコンテナの壁面に直接装着するものや、必ずしもコンテナに収納されないカート等のボックスに装着するハンガーバーとしても好適に使用できる。
【００１６】
先ず、図１〜６に基づき、本発明の第１実施形態を説明する。
【００１７】
収納ボックスＡは、底部に移送用の車輪７、…を備えるとともに、左右一対の側部構成体２、２の間に、本発明に係る単又は複数のハンガーバー装置１が架設され、これらハンガーバー装置１によりハンガー付き衣類を吊り下げた状態に収納して、長時間であっても型崩れさせることなく搬送できる衣類搬送用のボックスである。
【００１８】
側部構成体の前端部２ａ、２ａ同士、及び後端部２ｂ、２ｂ同士をそれぞれ連結する連結部材３、３を設けるとともに、これら連結部材３、３を内方に折曲させる折曲手段３０を備えさせ、図３（ａ）〜（ｃ）に示すように、各連結部材３、３を伸展状態に維持し、前記一対の側部構成体２、２の間に前記ハンガーバー装置１を架設する収納空間Ｓが形成された展開姿勢Ａ１と、各連結部材３、３を内方に折曲させ、これにより前記側部構成体２、２を互いに近接させた折畳姿勢Ａ２とに姿勢変更可能に構成されており、不使用の際には全体を折り畳み、コンパクト化できることを特徴としている。
【００１９】
側部構成体２、２と前後の連結部材３、３は、それぞれアルミニウム又はアルミニウム合金の展伸材を用いて枠体状に構成されており、収納ボックスＡの全体は、奥行き２８５０ｍｍ、幅２３００ｍｍ、高さ２１００ｍｍであり、２０フィートのドライコンテナに前後して２台積込める寸法に設定されている。
【００２０】
側部構成体２は、上端及び下端に設けられる一対の横杆２２、２２と、これら横杆の間を上下に架設される複数の縦杆２１、２３…とからなる格子状のフレーム２０より構成され、前記フレーム２０の内面側には、前記ハンガーバー装置１の端部１ａ、１ｂを支持するための複数の支持孔２５、・・・を穿設したステンレス製の板状のブラケット２４が、上下に間隔を置いて複数設けられている。
【００２１】
これらブラケット２４は、フレーム２０の前後にわたって縦杆２１、２３…に架設され、各ブラケットには、前後方向に沿って一定間隔置きに複数の支持孔２５、…が穿設されている。また、これら支持孔２５は上下に複数列設けられ、これにより懸架する衣類の寸法に応じ、適宜な高さ位置の支持孔２５を選択してハンガーバー装置１を装着することできる。
【００２２】
収納空間Ｓを挟んで向かい合う双方のブラケット２４、２４及びその支持孔２５、…はそれぞれ互いに対向する位置に設けられており、選択された一対の支持孔２５、２５によりハンガーバー装置１が収納空間Ｓ内部に水平に横架されることになる。
【００２３】
以下、ハンガーバー装置１の各部構造について詳細に説明する。
【００２４】
ハンガーバー装置１を構成する前記バー本体１０は、図４に示すように、左右のブラケット２４、２４間にわたる寸法を有した構造用鋼管からなるパイプ本体１１の外面に、ステンレス製のパイプ部材１２を被嵌した二重パイプ構造を有し、重量を増すことなくハンガーを掛けるのに適した外径３４ｍｍを達成しており、バー本体１０の両端部１ａ、１ｂには、該バー本体１０を前記ブラケット２４に対して回転可能に枢支するための支持軸１５、１６がそれぞれ設けられている。
【００２５】
具体的には、前記支持軸１５、１６として、前記ブラケット２４の支持孔２５に嵌入される円柱形状の差込みピン４０、４１がそれぞれ前記パイプ本体１１の端部１１ａ、１１ｂに突出して設けられ、特に、一方の端部１１ａには、差込みピン４０がスライド可能に内装され、且つ、内部のストッパー板４２に一端を支持されて前記差込みピン４０を外方に付勢するスプリング４３が内装されており、これにより差込みピン４０が当該端部１１ａより出没可能とされ、当該バー本体１０はブラケット２４に対して着脱自在に構成されている。
【００２６】
より詳しくは、当該端部１１ａの外周面に略Ｌ字形状の案内溝１１ｃが貫通して形成され、前記差込みピン４０の外面に穿設したネジ孔４０ａに前記案内溝１１ｃを通じて操作レバー４４を螺合し、外周面上に突出した前記操作レバー４４をこの案内溝１１ｃに沿って移動させることで、スプリング付勢により端部１１ａから突出していた前記差込みピン４０をスプリング４３に抗して没入させた状態にロックすることができ、これにより当該ハンガーバー装置１がブラケット２４に対して着脱自在に装着されるのである。
【００２７】
また、バー本体１０を構成している前記パイプ部材１２の外周面１０ａ上には、長手方向に沿って複数に区画された連続枠体より構成される枠状規制部材１３が突出して設けられている。
この枠状規制部材１３は、長手方向に沿って平行に延びる２本のステンレス等の金属製の縦杆６１、６２と、これら縦杆を所定間隔おきに連結する同じく金属製の複数の連結杆６３、…より全体を梯子形状に組み付け、一方の縦杆６２を前記外周面１０ａに沿って溶接接合することで突設したものである。
【００２８】
縦杆６１、６２の間隔は、外周面１０ａ上に掛止されたハンガーフックを干渉することなく挿通させることができる程度の十分な寸法が確保され、また、各連結杆６３、…同士の間隔、すなわち当該連結杆６３、…と縦杆６１、６２とで囲まれた各枠体内の幅は、一以上の所定のハンガー数に対応する幅寸法でそれぞれ区画されており、本例では、各枠体内に一本のハンガーが掛止されることを想定し、一本のハンガーに対応する幅寸法、即ち一のハンガー付き衣類を吊下げるのに必要な幅寸法がそれぞれ設定されている。このように複数の区画を構成したことで、ハンバーの軸方向に沿った移動が規制されるのである。
【００２９】
尚、外周面１０ａに接合される一方の縦杆６２を省略し、他方の縦杆６１から櫛歯状に突出する各連結杆６３先端を直接外周面１０ａに接合させたものも好ましい。また、図５（ａ）に示すように各枠体内の幅を複数本のハンガーに対応する幅寸法に設定したものや、図５（ｂ）に示すように連結杆６３を斜めに連結して三角形状の枠体を連続形成したもの、図５（ｃ）に示すように連結杆６３を一本の棒状部材を波状に屈曲形成してなり、山形の枠体及び谷形の枠体を交互に連続形成したもの等が好適に採用でき、上記三角形状や山形、谷形の枠体を形成する場合は、先端側の縦杆６１を省略することも可能である。
【００３０】
更に、これら枠状規制部材を長手方向に沿って複数形成しても良く、例えば、図５（ｄ）、（ｅ）に示すように、方形や山形等の枠体からなる枠状規制部材を、所定間隔おきに互いに独立して外周面１０ａ上に突設してなるものであっても良い。その他、棒状部材を用いること以外に、図５（ｆ）に示すように、周方向に所定幅を有し、外周面１０ａに沿って湾曲した板状の長尺部材６４を当該外周面１０ａとの間に連結部材６５を介してハンガーフックを挿通し得る所定空間を維持して外装してなるものも好ましい実施例である。また、枠体を連続形成することにより横方向へのハンガーの移動が規制できるが、本発明はこれに限定されず、例えば連結杆１３をバー本体に渡って延びる縦杆６１、６２の両端部にのみ設けて、複数の区画を有しない一の枠体からなるものであってもよい。
【００３１】
図６（ａ）（ｂ）に示すように、前記枠状規制部材１３は、ハンガーフック９１を掛ける際にはその自重によりバー本体１０の比較的下側に位置しており、全てのハンガーを掛け終えて後、フック９１に沿った先端９１ａから基端へ向かう方向（図面上では時計廻り）にバー本体１０と一体的に回転することにより、該バー本体１０の外周面上にスライドしながら保持される各ハンガーフック９１を先端９１ａ側より枠内に挿通させつつ、該フック９１の外方所定の位置Ｐ２まで回転移動し、前記位置固定手段１４である係止手段５により当該位置Ｐ２に固定されるのであり、このように枠状規制部材１３が位置Ｐ２に固定されることで、トラック等の振動によりハンガーフック９１が脱落方向へ移動しても、当該ハンガーフック９１又はハンガーの肩部９２が枠状規制部材１３の縦杆６１や連結杆６３に当接して、脱落が規制される。尚、上記所定の位置Ｐ２は、本例ではハンガーの肩部９２に近い水平より下側の角度位置に設定されているが、本発明はこれに限らず、フックを挿通している範囲であればその他の適宜な角度位置に設定することができる。
【００３２】
上記位置固定手段１４は、バー本体１０の一端部１ａに前記支持部８であるブラケット２４に対して当該バー本体１０を回転不能に係止するための係止手段５を設けてなり、前記係止手段５は、支持部側に形成した溝孔６に係合する係合軸１７を前記バー本体１０の一端部１ａの支持軸１５に対して前記溝孔６の位置に対応する周方向所定の角度位置に平行に設けたものである。
【００３３】
前記係合軸１７は、パイプ本体１１の端部外周に突出する連結部材１８を介して上記パイプ本体１１の端部に平行に付設した一端開口の筒状部材５１に出没可能に内装される円柱形状の差込みピン５０により構成され、当該差込みピン５０は、前記筒状部材５１の内部をスライドし、突出時にはブラケット２４の支持孔２５に嵌入される円柱形状の部材である。
【００３４】
より具体的には、前記支持軸１５と同様、前記筒状部材５１に前記差込みピン５０を外方に付勢するためのスプリング５３を内装するとともに、外周面に略Ｌ字形状の案内溝５１ｃを貫通して形成し、前記差込みピン５０の外面に穿設したネジ孔５０ａに前記案内溝５１ｃを通じて操作レバー５４を螺合してなる構造を有しており、前記差込みピン５０をスプリング５３に抗して没入させたロック状態で前記枠状規制部材１３を回転させ、フック外方所定の位置Ｐ２に移動したとき、操作レバー５４でロック解除し、突出した差込みピン５０を対応する前記溝孔６としての支持孔２５に係合することにより、当該ハンガーバー装置１全体の回転が係止され、前記枠状規制部材１３が当該位置Ｐ２に固定されるのである。
【００３５】
尚、係合軸１７と支持軸１５との離間距離は、これらを連結する連結部材１８の幅により、本例では隣接する支持孔２５、２５間の距離に設定されているが、理論上は係合軸１７を支持軸２５が嵌入される支持孔２５以外の孔であればどの支持孔２５に挿通しても回転を係止することができるのであり、例えば当該支持軸１５が嵌入する支持孔２５に対して斜め方向に隣接する支持孔２５を上記溝孔６として当該孔に対応する角度位置及び距離に設定したり、更に隣りの支持孔２５までの距離に設定することも可能である。
【００３６】
前記ブラケット２４の支持孔２５は丸孔であるが、これに限らず角孔、異形状の孔、達磨孔等の様々な形状の孔とすることができ、これら支持孔２５は本例のごとく多数設ける必要はなく、片側当たり支持軸１５と係合軸１７をそれぞれ嵌入される孔が２つ以上形成すればよい。また、ブラケット２４に設ける必要もなく、壁面に直接支持孔を穿設してもよく、更には、ハンガーバー装置１を回転可能に支持できるものであれば孔以外の支持構造を採用することも可能である。
【００３７】
また、係止手段５を構成する係合軸１７は、枠状規制部材１３を回転する際の回転軸となる支持軸１５と異なり、円柱状である必要はなく、板材等の角柱状その他の形状の部材で構成しても良い。また、このような位置固定手段１２はバー本体１０の両端に設けることもできる。本発明のハンガーバー装置１は、本例の如くステンレス等の金属材料で構成するもの以外に、一部又は全体を他の金属材料や金属以外の材料、例えば合成樹脂製や木製等の部材で構成することも可能である。
【００３８】
次に、図７及び図８に基づき、本発明の第２実施形態を説明する。
【００３９】
本実施形態のハンガーバー装置１Ａは、図７に示すように、バー本体１０の係止手段５として、上記支持軸１５である差込みピン４０の基端側外周部に軸方向に沿った突条５５を突設して同じくパイプ本体１１に対して出没可能に構成するとともに、内周部の一部に前記突条５５に対応する凹溝２５ａを設けた達磨形の支持孔２５をブラケット２４に穿設し、先ず差込みピン４０の前記突条５５よりも先端側のみ支持孔２５に挿入して当該バー本体１０を回転可能に支持し、上述の第１実施形態と同様、枠状規制部材１３が所定の位置Ｐ２に移動した際には、内蔵されたスプリング４５により前記突条５５が凹溝２５ａに自動的に嵌入し、当該差込みピン４０が前記達磨形の支持孔２５に完全に挿入されることにより回転不能に係止する構造としたものである。
これにより上記第１実施形態の係合軸５０や筒状部材５１等を省略でき、支持孔２５も一端に少なくとも一つ設ければよいことになる。
【００４０】
また、同じく係合軸５０や筒状部材５１等を省略できるものとして、図８に示すように、係止手段５として、同じくパイプ本体１１に対して出没可能な差込みピン４０の先端面に係止片５６を突設するとともに、支持孔２５の底部に前記係止片５６が嵌入する凹溝２５ｂを設け、枠状規制部材１３が所定の位置Ｐ２に移動した際、内蔵されたスプリング４５により前記係止片５６が凹溝２５ｂに自動的に嵌入されることにより回転不能に係止する構造とすることも好ましい実施例である。
その他の構成は、基本的には上記第１実施形態と同様であるので、同一構造については同一符号を付してその説明は省略する。
【００４１】
次に、図９に基づき、本発明の第３実施形態を説明する。
【００４２】
本実施形態のハンガーバー装置１Ｂは、図９に示すように、枠状規制部材１３Ｂを、バー本体１０に対して相対回転可能に構成するとともに、該枠状規制部材１０Ｂを所定の回転位置Ｐ２に固定するための位置固定手段１４として、当該枠状規制部材１３Ｂを前記バー本体１０又は支持体８であるブラケット２４に係止する係止手段１７Ｂを設けたものである。
【００４３】
具体的には、上記第１実施形態とほぼ同様の構造を有する枠状規制部材１３Ｂを、リング状のブラケット６６を介して、バー本体１０を回転軸としてその外周面１０ａ上を周方向に相対移動できるように支持してなり、当該枠状規制部材１３Ｂの前記ブラケット２４に対向する端部には、第１実施形態の係合手段１７と同様の係合軸５０を出没可能に内装した筒状部材５１Ｂを突設したものである。
【００４４】
尚、前記枠状規制部材１３Ｂとは別に、バー本体１０の軸に沿った垂直面に対して対称となる位置に、バー本体１０に直接固定された同様の枠状部材を設けたものでは、ハンガーの動きを周方向双方から規制してより確実に脱落を防止できることとなる。
また、枠状規制部材１３Ｂをバー本体１０に対して係止する係止手段を設けたものも好ましく、例えば、前記リング条のブラケット６６の内面とこれに対応する外周面１０ａの所定位置に凹凸係合部を設けることで実現される。
その他の構成は、基本的には上記第１実施形態と同様であるので、同一構造については同一符号を付してその説明は省略する。
【００４５】
【発明の効果】
以上のように、本発明のハンガーバー装置によれば、横架されたバー本体に対して相対回転、又はバー本体と一体的に回転可能に構成され、当該バー本体に掛けられたハンガーフックを先端側より枠内に挿通させつつ該フックの外方所定の位置に回転移動し、該フックの脱落方向への移動を規制する枠状規制部材と、前記枠状規制部材を前記フックの外方所定の位置に固定するための位置固定手段とより構成したので、不規則且つ大きな揺れが発生しても、固定された前記枠状規制部材によりハンガーの脱落を確実に防止でき、構造も比較的簡単であることから製作コストを抑えることもでき、作業性も良く脱着作業を迅速に行うことができる。
【００４６】
また、前記位置固定手段を当該バー本体を前記支持部に対し回転不能に係止する係止手段で構成し、当該バー本体と一体的に回転する前記枠状規制部材を、前記係止手段により前記フックを挿通した外方所定の位置に固定したものでは、よりシンプルな構造で脱落を確実に防止することができる。
【００４７】
また、前記係止手段として、支持部側に形成した溝孔に係合する係合軸を、前記バー本体の一端又は両端の支持軸に対し前記溝孔の位置に対応する周方向所定の角度位置に並設し、前記枠状規制部材が前記支持軸を中心にフック外方所定の位置に回転移動したときに、前記係合軸が前記溝孔に係合して固定されるものでは、構造がシンプルであるとともに、構造がシンプル且つ合理的であり、より優れた作業性が実現される。
【００４８】
また、前記支持軸の一方を、前記支持部側に形成した支持孔に嵌入される差込みピンを出没可能に内装し、これにより当該バー本体を着脱自在に構成するとともに、当該一方の支持軸に対して前記係合軸を並設し、該係合軸が同じく支持部側に形成した溝孔に嵌入される差込みピンを出没可能に内装したものでは、差込みピンの出没により当該ハンガーバー装置の脱着や枠状規制部材の固定／解除をより容易且つ迅速に行うことができる。
【００４９】
また、前記枠状規制部材を、長手方向に沿って複数に区画された連続枠体より構成したものでは、軸方向へのハンガーの移動が規制され、衣類の破損や脱落を防止し、安定した吊下げ状態を維持して運搬することが可能となる。
【００５０】
また、前記連続枠体が、一以上の所定のハンガー数に対応する幅寸法でそれぞれ区画されたものでは、より安定した吊下げ状態が実現できる。
【図面の簡単な説明】
【図１】ハンガーバー装置を装着した収納ボックスを示す斜視図。
【図２】本発明の第１実施形態に係るハンガーバー装置の要部を示す部分斜視図。
【図３】（ａ）〜（ｃ）は、収納ボックスの折り畳み手順を示す説明図。
【図４】ハンガーバー装置を示す分解斜視図。
【図５】（ａ）〜（ｆ）は、それぞれ枠状規制部材の他の例を示す説明図。
【図６】（ａ）、（ｂ）は、枠状規制部材の回転移動を示す説明図。
【図７】本発明の第２実施形態に係るハンガーバー装置の要部を示す部分斜視図。
【図８】同じく第２実施形態のハンガーバー装置の他の例を示す部分斜視図。
【図９】本発明の第３実施形態に係るハンガーバー装置の要部を示す部分斜視図。
【符号の説明】
Ａ  収納ボックス              Ａ１  展開姿勢
Ａ２  折畳姿勢                Ｓ  収納空間
Ｐ１  位置                    Ｐ２  位置
１、１Ａ、１Ｂ  ハンガーバー装置
１ａ、１ｂ  端部              ２  側部構成体
２ａ、２ｂ  端部              ３  連結部材
５  係止手段                  ６  溝孔
７  車輪                      ８  支持部
９  ハンガー                  １０  バー本体
１０ａ  外周面                １１  パイプ本体
１１ａ、１１ｂ  端部          １１ｃ  案内溝
１２  パイプ部材      １３、１３Ｂ  枠状規制部材
１４  位置固定手段            １５、１６  支持軸
１７  係合軸                  １７Ｂ  係止部材
１８  連結部材                ２０  フレーム
２１  縦杆                    ２２  横杆
２３  縦杆                    ２４  ブラケット
２５  支持孔                  ２５ａ  凹溝
２５ｂ  凹溝                  ３０  折曲手段
４０  差込みピン              ４０ａ  ネジ孔
４１  差込みピン              ４２  ストッパー板
４３  スプリング              ４４  操作レバー
５０  差込みピン              ５０ａ  ネジ孔
５１、５１Ｂ  筒状部材        ５１ｃ  案内溝
５３  スプリング              ５４  操作レバー
５５  突条                    ５６  係止片
６１  縦杆                    ６２  縦杆
６３  連結杆                  ６４  長尺部材
６５  連結部材                ６６  ブラケット
９１  フック                  ９１ａ  先端
９２  肩部
【図１】
2004283415.tif 000003
【図２】
2004283415.tif 000004
【図３】
2004283415.tif 000005
【図４】
2004283415.tif 000006
【図５】
2004283415.tif 000007
【図６】
2004283415.tif 000008
【図７】
2004283415.tif 000009
【図８】
2004283415.tif 000010
【図９】
2004283415.tif 000011